(57)【特許請求の範囲】
【請求項１】
一般商品又は洗車商品の販売に伴い、洗車商品の提供情報をコード化した洗車管理コードを発行する販売管理装置と、
洗車管理コードが入力されたことを条件に、この洗車管理コードに対応する提供情報を販売管理装置に照会し、販売管理装置が出力する提供情報に基づき洗車動作する洗車機とを有してなる洗車販売システム。
【請求項２】
前記洗車管理コードが、お客の商品購入実績に応じた洗車優遇措置情報に基づいて発行される請求項１に記載の洗車販売システム。
【請求項３】
前記洗車管理コードが、有限の使用有効期間をもつ請求項１又は２に記載の洗車販売システム。
【請求項４】
前記洗車管理コードが、商品の販売伝票に付記される請求項１〜３のいずれかに記載の洗車販売システム。
【請求項５】
請求項１〜４のいずれかに記載の洗車販売システムを構成する洗車機。
【発明の詳細な説明】
【０００１】
【発明の属する技術分野】
本発明は洗車販売システムに関する。
【０００２】
【従来の技術】
従来の洗車販売システムとして、ガソリンスタンドやコンビニエンスストアの売場で洗車用コインを販売し、それらのガソリンスタンドやコンビニエンスストアに併設されている洗車場の洗車受付盤でその洗車用コインを用いて洗車機を使用可能とするものがある。
【０００３】
【発明が解決しようとする課題】
しかしながら、従来の洗車用コインは、売場と洗車場の間で繰り返し循環使用されるものであり、それ自体の管理等にコストがかかるし、利用者としてはその紛失により洗車商品の取得済価値を喪失する虞もある。
【０００４】
また、従来技術では、利用者は、売場から離れた洗車場の洗車受付盤で、洗車用コインを用いる際に、複数の洗車商品（洗車メニュー）のうちから所望のものを選択する必要もあり、洗車場での洗車受付に時間がかかる。
【０００５】
本発明の課題は、洗車場から離れた売場でも洗車商品を簡易に販売可能とすることにある。
【０００６】
【課題を解決するための手段】
請求項１の発明は、一般商品又は洗車商品の販売に伴い、洗車商品の提供情報をコード化した洗車管理コードを発行する販売管理装置と、洗車管理コードが入力されたことを条件に、この洗車管理コードに対応する提供情報を販売管理装置に照会し、販売管理装置が出力する提供情報に基づき洗車動作する洗車機とを有してなるようにしたものである。
【０００７】
請求項２の発明は、請求項１の発明において更に、前記洗車管理コードが、お客の商品購入実績に応じた洗車優遇措置情報に基づいて発行されるようにしたものである。
【０００８】
請求項３の発明は、請求項１又は２の発明において更に、前記洗車管理コードが、有限の使用有効期間をもつようにしたものでる。
【０００９】
請求項４の発明は、請求項１〜３のいずれかの発明において更に、前記洗車管理コードが、商品の販売伝票に付記されるようにしたものである。
【００１０】
請求項５の発明は、請求項１〜４のいずれかに記載の洗車販売システムを構成する洗車機である。
【００１１】
【作用】
請求項１、５の発明によれば下記▲１▼〜▲４▼の作用がある。
▲１▼販売管理装置は、洗車商品の販売に伴い、その販売において選択された洗車商品名、又は洗車料金を提供情報に含む特定洗車管理コードと、一般商品の販売に伴い、割引もしくは無料サービスで提供された洗車商品名、又は洗車料金を提供情報に含む一般洗車管理コードの双方を発行できる。
【００１２】
▲２▼洗車管理コードは、洗車商品の提供情報（洗車商品名（メニュー名）、洗車料金、有効期間等）をコード化したものである。この洗車管理コードはそれ自体無体物であり、洗車商品を簡易に販売できるものになる。即ち、洗車管理コードは、例えばランダムな文字列そのものによって構成でき、洗車管理コード自体の管理等に格別なコストを必要としないし、紛失の虞がある有体物を伴うことを必須としないから、洗車商品の取得済価値の喪失を招く虞も小さい。
【００１３】
▲３▼売場で提供される洗車管理コードに、複数の洗車商品（洗車メニュー）のうちから選択した所望の商品名を記入しておくことができる。従って、利用者は、売場から離れた洗車場の洗車受付盤で所望の洗車商品を選択する必要がなく、直ちに洗車受付でき、洗車場への入場のスムースを図ることができる。
【００１４】
▲４▼洗車管理コードは、売場での取得後、利用者において洗車場での利用段階まで簡易に保存でき、これを都合の良いときに利用できる。例えば、売場の洗車販売等の販売キャンペーン期間中に洗車管理コードを割引価格で購入しておき、キャンペーンの混雑を回避するためや晴れた日に洗車する等のためにその購入日以後の後日の洗車にこの洗車管理コードを利用できる。
【００１５】
請求項２の発明によれば下記▲５▼の作用がある。
▲５▼洗車管理コードは、ＰＯＳ（Point of sales）を構成する販売管理装置で、一般商品や洗車商品の販売に伴って発行されるから、お客の当該売場での統合した商品購入実績（洗車実績を含む）に応じた、料金割引率、料金割引額、無料化情報等の洗車優遇措置情報に基づいて発行でき、売場の販売競争力を強化できる。
【００１６】
請求項３の発明によれば下記▲６▼の作用がある。
▲６▼洗車管理コードに有限の使用有効期間をもたせることにより、洗車管理コードを利用した洗車の促進を果たすことができる。
【００１７】
請求項４の発明によれば下記▲７▼の作用がある。
▲７▼洗車管理コードを、商品の販売伝票に付記することにより、洗車管理コードの発行のために格別の媒体を新たに用意する必要がなく、その発行を簡易に確実に行なえる。尚、洗車管理コードとしては、バーコード（該バーコードが表す数字を併記できる）を採用でき、これによれば、洗車受付盤への入力が容易になる。
【００１８】
【発明の実施の形態】
図１は洗車販売システムを示すブロック図である。
洗車販売システム１０は、図１に示す如く、販売管理装置１１、洗車機１２、洗車受付盤１３を有して構成される。
【００１９】
販売管理装置１１、洗車機１２、洗車受付盤１３は無線又は有線の通信システムで相互接続される。
【００２０】
販売管理装置１１は、ガソリンスタンドやコンビニエンスストアの売場に設置されたＰＯＳにて構成できる。販売管理装置１１は、一般商品や洗車商品（洗車メニュー）の販売に伴い、販売品名、販売額等が印刷された販売伝票を発行するとともに、洗車商品の提供情報（洗車商品名（メニュー名）、洗車料金、有効期間等）をバーコード化した洗車管理コードをその販売伝票に付記して発行する。
洗車管理コードは、同一洗車商品、同一洗車料金であっても、お客毎に異なるように暗証番号的にコード化されたものとすることできる。
【００２１】
尚、販売管理装置１１は、お客の商品購入実績（洗車実績を含む）に応じた洗車優遇措置情報（料金割引率、料金割引額、無料化情報等）に基づいて、洗車管理コードを発行することができる。
【００２２】
洗車機１２は、販売管理装置１１が設置された売場から離隔した洗車場に設置され、洗車受付盤１３を付帯して備える。洗車受付盤１３は、洗車管理コードが入力されたことを条件に、この洗車管理コードに対応する洗車商品の販売情報を販売管理装置１１に照会し、販売管理装置１１が洗車受付盤１３に向けて出力するその提供情報に基づき洗車機１２を洗車動作せしめる。
【００２３】
洗車販売システム１０における洗車販売手順は以下の通りである。
(1)売場でお客に一般商品や洗車商品を購入し、販売管理装置１１で料金を清算する。販売管理装置１１は、お客への販売商品を売上処理し、販売伝票を発行するととに、下記(a)又は(b)の洗車管理コードを発行する。
【００２４】
(a)販売管理装置１１は、洗車商品の販売に伴って、その販売において選択された洗車商品名、又は洗車料金を提供情報に含む特定洗車管理コードを発行する。
【００２５】
(b)販売管理装置１１は、一般商品の販売に伴って、割引もしくは無料サービスで提供された洗車商品名、又は洗車料金を提供情報に含む一般洗車管理コードを発行する。
【００２６】
(2)洗車場では、お客が提示する洗車管理コードを、例えば販売伝票に付記されたバーコードをバーコードリーダで読取る、もしくは販売伝票に付記されたバーコードに併記の数字コードをキーボードに入力する、又はお客が自らのメモ又は記憶に留めてあった上記数字コードをキーボードに入力する等により、洗車受付盤１３に入力する。これにより、洗車受付盤１３がこの洗車管理コードに対応する洗車商品の提供情報を販売管理装置１１に照会すると、販売管理装置１１はその洗車管理コードに対応する洗車商品提供情報を販売情報記憶装置１１Ａから取出して洗車受付盤１３に出力する。
【００２７】
(3)洗車受付盤１３は販売管理装置１１から出力された洗車商品の提供情報を表示する。
【００２８】
▲１▼洗車管理コードが前述(a)、(b)で洗車商品名を予め提供情報に定めてあった場合には、洗車受付盤１３はこの洗車商品名を表示し、洗車受付盤１３は利用者の洗車開始オン操作により洗車機１２をしてこの商品の洗車動作を行なう。
【００２９】
▲２▼洗車管理コードが前述(a)、(b)で洗車料金（割引率、割引額、無料化情報を加味した料金であって良い）だけを提供情報に定めてあった場合には、洗車受付盤１３はこの洗車料金を表示するとともに、この洗車料金で利用可能な１以上の洗車商品名を表示する。利用者が表示された洗車商品の中から所望の洗車商品を選択し、洗車開始オン操作すると、洗車受付盤１３は洗車機１２をしてこの商品の洗車動作を行なう。
【００３０】
尚、前述(b)で一般洗車管理コードを発行するに際し、提供情報とした洗車商品名、洗車料金に対する支払いが未払いである場合には、上述▲１▼、▲２▼でこの未払いの事実が販売管理装置１１から洗車受付盤１３に出力されて表示される。従って、洗車受付盤１３が洗車機１２をして洗車動作せしめる前提条件として、利用者はその表示された未払い料金の洗車受付盤１３への投入が必要とされる。
【００３１】
また、洗車受付盤１３は、上述▲１▼、▲２▼で、利用者の所望により、追加料金を受取り可能とされ、洗車管理コードに対応して表示された洗車商品、洗車料金より高位の洗車商品を洗車受付盤１３において追加販売可能としても良い。この場合には、利用者が洗車受付盤１３にて投入した追加料金に見合う新たな洗車商品名が洗車受付盤１３に表示され、洗車受付盤１３は洗車機１２をしてこの商品の洗車動作を行なう。この洗車受付盤１３における追加販売実績は洗車管理装置１１に転送される。
【００３２】
本実施形態によれば、以下の作用がある。
▲１▼洗車管理コードは、洗車商品の提供情報（洗車商品名（メニュー名）、洗車料金、有効期間等）をコード化したものである。この洗車管理コードはそれ自体無体物であり、洗車商品を簡易に販売できるものになる。即ち、洗車管理コードは、例えばランダムな文字列そのものによって構成でき、洗車管理コード自体の管理等に格別なコストを必要としないし、紛失の虞がある有体物を伴うことを必須としないから、洗車商品の取得済価値の喪失を招く虞も小さい。
【００３３】
▲２▼売場で提供される洗車管理コードに、複数の洗車商品（洗車メニュー）のうちから選択した所望の商品名を記入しておくことができる。従って、利用者は、売場から離れた洗車場の洗車受付盤１３で所望の洗車商品を選択する必要がなく、直ちに洗車受付でき、洗車場への入場のスムースを図ることができる。
【００３４】
▲３▼洗車管理コードは、売場での取得後、利用者において洗車場での利用段階まで簡易に保存でき、これを都合の良いときに利用できる。例えば、売場の洗車販売等の販売キャンペーン期間中に洗車管理コードを割引価格で購入しておき、キャンペーンの混雑を回避するためや晴れた日に洗車する等のためにその購入日以後の後日の洗車にこの洗車管理コードを利用できる。
【００３５】
▲４▼洗車管理コードは、ＰＯＳ（Point of sales）を構成する販売管理装置１１で、一般商品や洗車商品の販売に伴って発行されるから、お客の当該売場での統合した商品購入実績（洗車実績を含む）に応じた、料金割引率、料金割引額、無料化情報等の洗車優遇措置情報に基づいて発行でき、売場の販売競争力を強化できる。
【００３６】
▲５▼洗車管理コードに有限の使用有効期間をもたせることにより、洗車管理コードを利用した洗車の促進を果たすことができる。
【００３７】
▲６▼洗車管理コードを、商品の販売伝票に付記することにより、洗車管理コードの発行のために格別の媒体を新たに用意する必要がなく、その発行を簡易に確実に行なえる。尚、洗車管理コードとしては、バーコード（該バーコードが表す数字を併記できる）を採用でき、これによれば、洗車受付盤１３への入力が容易になる。
【００３８】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３９】
【発明の効果】
以上のように本発明によれば、洗車場から離れた売場でも洗車商品を簡易に販売することができる。
【図面の簡単な説明】
【図１】図１は洗車販売システムを示すブロック図である。
【符号の説明】
１０  洗車販売システム
１１  販売管理装置
１２  洗車機
１３  洗車受付盤
【図１】
0004554841.tif 000002